(57)【要約】【課題】簡単にアースをとることができる照明器具を提供する。【解決手段】照明器具は、金属製の筐体、金属製の突出部、基板、電源回路のアース端子を具備する。金属製の筐体は、一方側に開口を有する有底箱状に形成される。金属製の突出部は、筐体本体の内面から突出するように筐体と一体に形成される。基板は、電源回路と、ねじ孔とを備え、当該ねじ孔を介して突出部にねじ留めされる。電源回路のアース端子は、基板の突出部と対向する面側に、ねじ孔と重なるよう配置され、ねじ孔を介したねじ留めにより、突出部に押し付けられる。【選択図】図４
2020115412.tif 000002
【特許請求の範囲】
【請求項１】
一方側に開口を有する有底箱状に形成された金属製の筐体と；
前記筐体本体の内面から突出するように前記筐体と一体に形成される金属製の突出部と；
電源回路と、ねじ孔とを備え、当該ねじ孔を介して前記突出部にねじ留めされる基板と；
前記基板の前記突出部と対向する面側に、前記ねじ孔と重なるよう配置され、前記ねじ孔を介したねじ留めにより、前記突出部に押し付けられる前記電源回路のアース端子と；
を具備することを特徴とする照明器具。
【請求項２】
前記突出部は、所定の太さのねじ溝を有し；
前記アース端子は、ねじとして、前記ねじ溝が刻まれた所定の太さの軸部分と当該軸部分よりも太い押し付け部分とを有するねじの押し付け部により前記突出部に押し付けられる
ことを特徴とする請求項１に記載の照明器具。
【請求項３】
前記筐体は、複数の前記突出部を有し、
前記基板は、前記突出部のそれぞれと対応する複数のねじ孔を有し、
前記アース端子は、複数の前記ねじ孔のうちいずれかのねじ孔と重なるように配置される
ことを特徴とする請求項１または２に記載の照明器具。
【発明の詳細な説明】
【技術分野】
【０００１】
本発明の実施形態は、照明器具に関する。
【背景技術】
【０００２】
筐体の下面に光源が配設され、この光源を覆うようにグローブが配設された照明器具が知られている。かかる照明器具は、筐体の一端側に設けられた取付部をポールや電柱等に取り付け、例えば防犯灯や街路灯等として利用されている。この照明器具を安全に利用するためには、照明器具の電源回路にアース端子を装備し、アースをとる必要がある。
【先行技術文献】
【特許文献】
【０００３】
【特許文献１】特開２０１７−１０７７３号公報
【発明の概要】
【発明が解決しようとする課題】
【０００４】
本発明が解決しようとする課題は、簡単にアースをとることができる照明器具を提供することである。
【課題を解決するための手段】
【０００５】
実施形態の照明器具は、金属製の筐体、金属製の突出部、基板、電源回路のアース端子を具備する。金属製の筐体は、一方側に開口を有する有底箱状に形成される。金属製の突出部は、筐体本体の内面から突出するように筐体と一体に形成される。基板は、電源回路と、ねじ孔とを備え、当該ねじ孔を介して突出部にねじ留めされる。電源回路のアース端子は、基板の突出部と対向する面側に、ねじ孔と重なるよう配置され、ねじ孔を介したねじ留めにより、突出部に押し付けられる。
【発明の効果】
【０００６】
本発明によれば、簡単にアースをとることができる照明器具を提供することである。
【図面の簡単な説明】
【０００７】
【図１】実施形態に係る照明器具の外観例を示す側面図である。
【図２】実施形態に係る照明器具を示す側断面図である。
【図３】実施形態に係る照明器具を示す分解斜視図である。
【図４】図２に示す基板のねじ留めを説明するための図である。
【図５】レンズ部材の一例を示す斜視図である。
【図６】図５に示すレンズ部材のＡ−Ａ´断面図である。
【発明を実施するための形態】
【０００８】
以下に説明する実施形態に係る照明器具１は、筐体２、突出部（ボス）２０ｂ、基板２０ｃ、アース端子２９を具備する。筐体２は、一方側に開口を有する有底箱状に形成される。筐体２は金属製である。ボス２０ｂは、筐体２本体の内面から突出するように筐体２と一体に形成される。ボス２０ｂも金属製である。基板２０ｃは、電源回路２８と、ねじ孔２６ａとを備え、ねじ孔２６ａを介してボス２０ｂにねじ留めされる。アース端子２９は、電源回路２８のアース端子である。アース端子２９は、基板２０ｃのボス２０ｂと対向する面側に、ねじ孔２６ａと重なるよう配置され、ねじ孔２６ａを介したねじ留めにより、ボス２０ｂに押し付けられる。
【０００９】
また、ボス２０ｂは、所定の太さのねじ溝２５ａを有する。アース端子２９は、ねじ６０として、ねじ溝２５ａが刻まれた所定の太さの軸部分６１と、軸部分６１よりも太い押し付け部６２とを有するねじ６０の押し付け部６２によりボス２０ｂに押し付けられる。
【００１０】
また、筐体２は、複数のボス２０ｂを有する。基板２０ｃは、ボス２０ｂのそれぞれと対応する複数のねじ孔２６を有する。アース端子２９は、複数のねじ孔２６のうちいずれかのねじ孔２６（２６ａ）と重なるように配置される。
【００１１】
以下に、本発明に係る実施形態を図面に基づき説明する。なお、以下に示す実施形態は、本発明が開示する技術を限定するものではない。また、実施形態において同一の部位には同一の符号を付し、重複する説明は省略する。
【００１２】
図１は、実施形態に係る照明器具の外観例を示す側面図である。図２は、実施形態に係る照明器具を示す側断面図である。図３は、実施形態に係る照明器具を示す分解斜視図である。図４は、図２に示す基板のねじ留めを説明するための図である。図５は、レンズ部材の一例を示す斜視図である。
【００１３】
図１〜図５に示すように、照明器具１は、筐体２、光源２０、レンズ部材３０、パッキン４０、グローブ５０を有する。照明器具１は、光源２０が点灯および消灯する照明器具である。照明器具１は、例えば防犯灯や街路灯等として主に屋外で使用される。
【００１４】
筐体２は、収容部３、取付部６、採光孔７、配線孔８、通気孔９、環状溝１０、ボス２０ａ，２０ｂを有する。筐体２は、例えば鋼鉄またはアルミニウム合金などの金属で構成される。
【００１５】
収容部３は、筐体２の長さ方向に延在するように設けられており、グローブ５０と向かい合うように開口している。
【００１６】
取付部６は、筐体２の長さ方向の一端側に形成される。取付部６は、筐体２の幅方向に並ぶ取付部片６ａ，６ｂを有し、例えばワイヤやクランプなどの取付部材を用いて道路の脇に設置されたポールや電柱等に取り付けられる。取付部６は、例えば筐体２と同じ金属で構成される。
【００１７】
採光孔７、配線孔８、通気孔９は、筐体２の外部と収容部３とを連通させるようにそれぞれ設けられた貫通孔である。本実施形態では、採光孔７は長さ方向の中間部分において一端側寄りに設けられており、配線孔８、通気孔９は、取付部６を有する一端側にそれぞれ形成されている。
【００１８】
採光孔７は、照明器具１の外部からの光を収容部３の内部に取り入れる。配線孔８は、点灯装置２７に対して電力を供給するための配線を収容部３の内部に引き込む。配線孔８の周縁部には、例えば樹脂またはゴム製のブッシング１１がはめ込まれる。ブッシング１１には、図示しない配線を挿通するための挿通孔１１ａが設けられている。通気孔９は、照明器具１の内部圧力に応じて気体の流通が可能となる内圧調整フィルタ９ａによって閉塞されている。
【００１９】
ボス２０ａ，２０ｂは、筐体２本体の内面から突出するように筐体２と一体に形成される。ボス２０ａは内部にねじ溝を有し、基板２１を筐体２にねじ留めする際に用いられる。また、ボス２０ｂも内部にねじ溝２５ａ（図４参照）を有し、基板２０ｃを筐体２にねじ留めする際に用いられる。ここで、ボス２０ｂの長さは、ボス２０ａの長さよりも短い。これにより、筐体２の内部において、点灯装置２７を有する基板２０ｃと、発光素子２２を有する基板２１とを充分離間させることができる。その結果、基板２０ｃと基板２１との絶縁を適切に図ることができる。
【００２０】
環状溝１０は、パッキン４０を収容するための溝であり、照明器具１内の防水性を確保する。
【００２１】
また、筐体２の収容部３には、センサパッキン１２、センサカバー１３、遮光筒１４、光センサ２５が収容されている。
【００２２】
光センサ２５は、照明器具１の周囲の明暗を検知して光源２０を点灯および消灯する照度センサである。光センサ２５は、基板２１に実装され、点灯装置２７に接続されている。点灯装置２７は、光センサ２５が検知した照度が所定値以下となった場合に光源２０を点灯させ、検知された照度が所定値を超えた場合に光源２０を消灯させるよう制御する。
【００２３】
センサパッキン１２は、採光孔７とセンサカバー１３との間の隙間を埋めるための環状のシール部材である。センサカバー１３は、採光孔７内に配設され、採光孔７から入射した光を収容部３の内部に取り入れるとともに、収容部３の内部に雨水やほこりなどの異物が進入するのを防ぐ有底筒状の透光性の部材である。
【００２４】
遮光筒１４は、不透光性の部材で構成された筒状の部材である。遮光筒１４は、センサカバー１３の一端側外周を覆うように差し込まれ配置されている。遮光筒１４およびセンサカバー１３は、互いに接していてもよく、わずかに離間していてもよい。これにより、センサカバー１３から伝導された採光量をそのまま基板２１上の光センサ２５に伝えることができる。
【００２５】
次に、光源２０について説明する。光源２０は、基板２０ｃ、アース端子２９、板２０ｆ、基板２１を有する。
【００２６】
基板２０ｃは、４個のねじ孔２６、点灯装置２７を有する。ねじ孔２６は、基板２０ｃを筐体２にねじ留めするための孔である。以下の説明において、ねじ孔２６のうち、アース端子２９が配置されるねじ孔２６をねじ孔２６ａと称す。
【００２７】
基板２０ｃは、筐体２から突出した４個のボス２０ｂに、４個のねじ孔２６を介して第２主面２０ｅ側からねじ留めされる。点灯装置２７は、基板２０ｃに実装された電源回路２８を有する。電源回路２８は、商用交流電源に接続されており、この商用交流電源を受けて直流出力を生成する。点灯装置２７は、電源回路２８により、基板２１の発光素子２２の点灯および消灯を制御する。
【００２８】
点灯装置２７は、商用交流電源に接続されており、この商用交流電源を受けて直流出力を生成し、発光素子２２の点灯および消灯を制御するように構成される。点灯装置２７は、基板２０ｃに実装された電源回路２８を有する。電源回路２８は、基板２０ｃの第１主面２０ｄ側に実装される。
【００２９】
アース端子２９は、基板２０ｃの電源回路２８に接続される金属製の板であり、基板２０ｃの第１主面２０ｄ側に、ねじ孔２６ａと重なるよう配置され、ねじ孔２６ａを介したねじ留めにより、ボス２０ｂに押し付けられる。
【００３０】
図４に示すように、上記のねじ留めに用いられるねじ６０は、ボス２０ｂのねじ溝２５ａが刻まれた所定の太さの軸部分６１と、軸部分６１よりも太い押し付け部６２とを有する。そして、アース端子２９は、基板２０ｃがねじ６０によりねじ留めされる際、ねじ６０の押し付け部６２によりボス２０ｂに押し付けられる。これにより、電源回路２８の電位は、アース端子２９、ボス２０ｂ、筐体２、取付部６（図２参照）を経由し、照明器具１が取り付けられるポールや電柱等に逃がされる。
【００３１】
板２０ｆは、基板２０ｃと基板２１との間に配置される。板２０ｆは、レンズ部材３０を係止するための係止孔２４が設けられている。
【００３２】
基板２１は、例えばガラスエポキシ樹脂などの絶縁性を有する平板であり、基板２１は、第２主面２１ｂに実装された複数の発光素子２２を有する。
【００３３】
基板２１は、筐体２から突出した４個のボス２０ａに、４個のねじ孔を介して、板２０ｆを挟んで第２主面２１ｂ側からねじ留めされる。
【００３４】
また、基板２１の第１主面２１ａおよび第２主面２１ｂには銅箔などの導電性材料で形成された配線パターンがそれぞれ施されており、適宜レジスト層が施されるようになっている。なお、基板２１の材料は、絶縁材とする場合には、セラミックス材料または合成樹脂材料を適用してもよい。また、基板２１の材料は、金属製としてもよく、かかる場合には、例えばアルミニウムなどの熱伝導性が良好で放熱性に優れた材料を適用するのが好ましい。基板２１の表面は、光の反射率が高い白色に塗装してもよい。
【００３５】
発光素子２２は、コネクタ（図示省略）により基板２０ｃの点灯装置２７に接続されており、点灯装置２７から直流出力が供給され、点灯装置２７により点灯制御される。発光素子２２は、例えば、基板２１の長さ方向に複数列、幅方向から見たときに互い違いになるよう配列されている。発光素子２２は、例えばセラミックスで形成された本体に配設されたＬＥＤチップと、このＬＥＤチップを封止するエポキシ系樹脂やシリコーン樹脂等のモールド用の透光性樹脂とを含む。
【００３６】
ＬＥＤチップは、例えば、青色光を発する青色のＬＥＤチップである。透光性樹脂には、蛍光体が混入されており、白色光を出射できるようにするために、青色の光とは補色の関係にある黄色系の光を放射する黄色蛍光体が使用されている。なお、ＬＥＤチップは、例えば赤色光や緑色光を発するものであってもよい。
【００３７】
また、ＬＥＤは、ＬＥＤチップを直接基板２１に実装するようにしてもよく、また、砲弾型のＬＥＤを実装するようにしてもよく、実装方式や形式は、特に限定されるものではない。
【００３８】
次に、レンズ部材３０について説明する。レンズ部材３０は、複数の凹部３２、複数の膨出部３５、突状部３７を一体に有する。
【００３９】
凹部３２は、基板２１の第２主面２１ｂに実装された発光素子２２とそれぞれ向かい合うように配置されている。凹部３２は、対応する発光素子２２と向かい合うように第１面３１側にそれぞれ設けられ、発光素子２２を収容する。凹部３２は、平面視で略楕円形状を有しており、長さ方向が基板２１の幅方向に沿うように設けられている。
【００４０】
膨出部３５は、レンズ部材３０の第１面３１とは反対側の第２面３４側に設けられており、複数の膨出部３５が協働してレンズ部材３０が有する光配向性を規定する。レンズ部材３０は、例えば道路の幅方向および道路の長さ方向に向けて配光を制御している。
【００４１】
突状部３７は、第２面３４側に設けられており、隣接する膨出部３５同士の間に配置される。図６は、図５のＡ−Ａ´断面図である。例えば、図６に示すように、突状部３７の側面部３７ａは、膨出部３５から照射される光のうち、幅方向の光を反射させる。これにより、膨出部３５からの配光を８５°〜９０°の間に制御することができる。
【００４２】
また、レンズ部材３０は、複数の膨出部３５を連結する平坦部３６を有している。平坦部３６は、第１面３１側が基板２１の発光素子２２実装面である第２主面２１ｂに接触するよう配設される。また、平坦部３６から基板２１の幅方向に沿う方向の両端に一対の係止部３３を有する。係止部３３は、板２０ｆ側に向けて突出し、板２０ｆに設けられた係止孔２４に挿入可能となるように設けられている。また、一対の係止部３３は、板２０ｆの長さ方向に沿うように延びる係止爪３３ａをそれぞれ有する。
【００４３】
レンズ部材３０は基板２１を板２０ｆとの間に挟んで、係止部３３を、板２０ｆの係止孔２４に差し込むことでレンズ部材３０が板２０ｆに係止される。なお、レンズ部材３０と基板２１、板２０ｆとをより確実に固定するためにねじ止めを併用する。
【００４４】
なお、凹部３２は、凹部３２の長さ方向が基板２１の幅方向に沿うように設けられているとしたが、これに限らず、例えば道路の長さ方向に多くの光を照射させたい場合は、長さ方向が基板２１の長さ方向に沿うように設けられてもよい。さらに、板２０ｆが係止部３３を有し、レンズ部材３０が係止孔２４を有する構成としてもよい。
【００４５】
パッキン４０は、例えばシリコーンゴムであり、環状溝１０に収容されて筐体２とグローブ５０との間の防水性を確保する。
【００４６】
グローブ５０は、底面５１、周壁５２、環状凸部５３、仕切部５４を有する。グローブ５０は、例えば、アクリルやポリカーボネート等の透光性の材料から作られている。グローブ５０は、フロスト処理が施されてレンズ部材３０から出射される光を拡散する機能を有するようになっている。なお、グローブ５０に適宜拡散材を混入させて光の拡散性をもたせるようにしてもよい。
【００４７】
グローブ５０の底面５１は、光源２０の基板２１面から比較的内空間を高く形成することで、レンズ部材３０により配光制御された光を効率よく照射側へ照射可能となる。
【００４８】
グローブ５０は、パッキン４０を環状凸部５３で押圧するように配置され、筐体２とグローブ５０との間の防水性を確保する。また、隣り合う底面５１および周壁５２が交差する部分は、それぞれ所定の大きさの曲率半径で面取りされ、またはアールがつけられている。このため、隣り合う底面５１および周壁５２が交差する部分に稜線を有する場合と比較してレンズ部材３０により配光制御された光を道路の幅方向へ効率よく出射することができる。
【００４９】
また、上記した実施形態では、グローブ５０は必須の構成として説明したが、照明器具１はグローブ５０を有さなくてもよい。
【００５０】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５１】
１  照明器具
２  筐体
６  取付部
２０  光源
２０ａ，２０ｂ  ボス
２０ｃ，２１  基板
２２  発光素子
２５ａ  ねじ溝
２６  ねじ孔
２８  電源回路
２９  アース端子
３０  レンズ部材
３７  突状部
５０  グローブ
６０  ねじ
６１  軸部分
６２  押し付け部
【図１】
2020115412.tif 000003
【図２】
2020115412.tif 000004
【図３】
2020115412.tif 000005
【図４】
2020115412.tif 000006
【図５】
2020115412.tif 000007
【図６】
2020115412.tif 000008